(57)【要約】【課題】磁力を利用して視覚的な癒し効果の期待できる鑑賞用揺動機構を提供する。【解決手段】基台２と、前記基台２上に配設した第１磁石４と、前記第１磁石４と磁極を同方向に向け所定間隔離間させて前記基台２上に配設した第２磁石５と、前記第１磁石４と第２磁石５との間に磁極を反対方向に向け磁力によって浮遊状態で移動自在に遊嵌させた貫通孔１０のある第３磁石６と、前記貫通孔１０のある第３磁石６に固着又は着脱自在な状態に装着した鑑賞部材７を備えた事を特徴とする鑑賞用揺動機構１を提供する。【選択図】図１
2008037080.tif 000002
【特許請求の範囲】
【請求項１】
基台と、前記基台上に配設した第１磁石と、前記第１磁石と磁極を同方向に向け所定間隔離間させて前記基台上に配設した第２磁石と、前記第１磁石と第２磁石との間に磁極を反対方向に向け磁力によって浮遊状態で移動自在に遊嵌させた貫通孔のある第３磁石と、前記貫通孔のある第３磁石に固着又は着脱自在な状態に装着した鑑賞部材を備えた事を特徴とする鑑賞用揺動機構。
【請求項２】
前記貫通孔のある第３磁石に固着又は着脱自在な状態で装着した鑑賞部材は、ライター、ライト又はＵＳＢメモリー等の二次使用出来る機能を有する事を特徴とする請求項１記載の鑑賞用揺動機構。
【発明の詳細な説明】
【技術分野】
【０００１】  本発明は、磁石を用いた鑑賞用揺動機構に関する。
【背景技術】
【０００２】  近年磁力や、磁石を利用した種々の商品が開発されている。磁力は例えば、モーター、電磁弁、健康器具等に用いられる他、医療分野、教育分野、交通手段にも利用されており、更に、今後もその利用拡大が見込まれている。【０００３】  一方、表示体の揺動装置として磁石を用いた例が、特許文献１に記載されている。但し、上記例に係る装置は、揺動軸に重心を置き振り子運動させる。又、揺動させる為に電気を利用している。
【特許文献１】特開２００６−０７１８８５号公報
【発明の開示】
【発明が解決しようとする課題】
【０００４】  しかし、この場合、支持体の構造は複雑になり、電子装置や型枠の製作費など安価に製造出来ない。そこで、磁石のみの簡単な構造で、電気等の動力を使わず、長時間に及んで揺れを持続させる事を目的とする。又、揺れる鑑賞部材を簡単に着脱し、二次使用出来る様にする事を目的とする。
【課題を解決するための手段】
【０００５】  上記の課題を解決すべく、本発明は以下の構成を提供する。
請求項１に係る発明は、基台と、前記基台上に配設した第１磁石と、前記第１磁石と磁極を同方向に向け所定間隔離間させて前記基台上に配設した第２磁石と、前記第１磁石と第２磁石との間に磁極を反対方向に向け磁力によって浮遊状態で移動自在に遊嵌させた貫通孔のある第３磁石と、前記貫通孔のある第３磁石に固着又は着脱自在な状態に装着した鑑賞部材を備えた事を特徴とする鑑賞用揺動機構を提供するものである。【０００６】  請求項２に係る発明は、前記貫通孔のある第３磁石に固着又は着脱自在な状態で装着した鑑賞部材は、ライター、ライト又はＵＳＢメモリー等の二次使用出来る機能を有する事を特徴とする請求項１記載の鑑賞用揺動機構を提供するものである。
【発明の効果】
【０００７】  本発明の請求項１記載の発明によれば、磁力による復帰力を利用して、鑑賞部材を揺らした時、磁力により復帰し、慣性の力で今度は逆に傾く。故に、連続して揺れを繰り返し、長時間（条件により約３０〜６０秒）に及んで、揺れを持続させる事が出来る。よって、揺れによる視覚的な癒し効果が期待できる鑑賞部材を提供する事が出来る。
又、揺動軸の中心にある第３磁石の貫通孔を利用し、多彩な構造物を搭載する事が出来る。
請求項２記載の発明によれば、貫通孔のある第３磁石に固着又は着脱自在な状態で装着した鑑賞部材は、ライター、ライト又はＵＳＢメモリー等の二次使用出来る機能を有し、自在に着脱して使用する事が出来る。
【発明を実施するための最良の形態】
【０００８】  以下、実施例を示した図面を参照しつつ本発明の実施の形態を説明する。尚、説明の都合上、後に説明する実施例に於いて、先に説明した実施例と同一構成部分については同一符号を付してその説明を省略する。
図１に於いて、１は本発明による貫通孔１０を示した鑑賞用揺動機構であり、前記鑑賞用揺動機構１は、基台２と、基台２上に支持体３を介して配設した第１磁石４と、第１磁石４と磁極を同方向に向け所定間隔離間させて基板２上に支持体３を介して配設した第２磁石５と、第１磁石４と第２磁石５との間に磁極を反対方向に向け磁力によって浮遊状態で移動自在に遊嵌させた貫通孔１０のある第３磁石６と、貫通孔１０に固着した鳥の形をしたペン立てから成る鑑賞部材７とを備えている。【０００９】  本発明である磁力の復帰力を利用する方法では、揺動軸と重心の位置は、離すのが最良の方法である。本発明に於いては、慣性力と磁力の復帰力の相互作用を利用する為、復帰力の働く範囲内で離れた位置にする方が、慣性力は大きくなり、揺れを長時間に及んで持続させる。しかし、揺動軸に重心を合わせ揺動させる従来の方法でも、鑑賞部材７の重さ、長さを上下に離して慣性力を調節し揺れを持続させる事は出来る。又、例えば上下を逆にして、天井等に固着させたとしても、揺れる機能は殆ど変わらない。【００１０】  よって、前記鑑賞用揺動機構１は、貫通孔１０のある第３磁石６が、第１磁石４及び第２磁石５の間で一方、又は、両方の磁石に磁着しながら、浮遊状態に遊嵌する様に構成されている為、慣性力と磁力の復帰力を利用し、磁石同士の摩擦を極力小さくする事で、鑑賞部材７を揺らした時、長時間に及んで揺れが持続する。
従って、前記鑑賞用揺動機構１は、癒しの効果を有する鑑賞部材７として期待出来る。且つ、貫通孔１０のある第３磁石６に固着又は着脱自在な状態に装着した鑑賞部材７を自在に着脱し、初期の癒しを求めた鑑賞部材７としての目的だけでなく、例えばライター、ライト又はＵＳＢメモリー等、色々な物に二次使用する事が出来る。【００１１】  図２で、熊の形をした鑑賞部材７に、ライターを搭載した第１実施例について説明する。図２に於いて、第３磁石６の貫通孔１０は揺動軸の中心にある。よって、ここから重心の位置を離して慣性力を調節し、貫通孔１０を利用して、ある程度重い鑑賞部材７でも搭載する事が出来る。故に、ライターを搭載した鑑賞部材７を揺らした時、鑑賞部材７が長時間に及んで揺れを持続し、揺れが持続する事によって視覚的な癒し効果が期待できる。【００１２】  しかし、一般的に使用されている磁石は、磁力が弱く本発明である前記鑑賞用揺動機構１には余り適さない。そこで近年使用される様になった、強力タイプ（ネオジムなど）の磁石を使用する事で解決出来る。【００１３】  又、強力タイプ（ネオジムなど）の磁石は、腐食性が有り通常メッキなどのコーティングをして使用されている。この場合、接着剤で鑑賞部材７を固定する事になるが、如何に強く接着しても、メッキ等の部分より剥がれる危険が絶えず付きまとう。故に、不良品や耐久性を考慮すると、貫通孔１０に貫通した状態で固着又は装着するのが最良であり、容易に中心を求める事も出来る。【００１４】  さて、図３は第１実施例の第３磁石６部分より取り外した形態での側面の断面図である。この時点で初期の癒しを求めた鑑賞部材７としての目的だけでなく、ライターとして使用する。【００１５】  ライターの構造は、既に多種多様なライターが存在するので、ここでは詳しい図解は省略し要点のみを記載する。図３に於いて、最下部のガスタンク１３よりガス管４４が第３磁石６を貫通し最上部に伸びガス出口１１から噴射する。その途中に電子装置１２を設け放電部９や着火スイッチ８にも連動している。着火スイッチ８をスライドさせる事により、ガスを噴射し電子装置１２を作動させ、放電部９より放電によりガス出口１１に電子式で着火させる。又、石の火花を利用する旧来の方法も一般的に広く使用されている。【００１６】  図４は第２実施例の、茄子の形をした鑑賞部材７に、ライトを搭載した形態での斜視図である。揺動軸の中心にある貫通孔１０を利用して慣性力を調節し、ある程度重量のあるライトの搭載を可能にする。又、１８はスイッチである。【００１７】  更に、図５は第２実施例の第３磁石６の部分から取り外した形態での側面の断面図である。この時点から、初期の癒しを求めた鑑賞部材７としての目的だけでなく、ライトとして使用する。尚、ライトの内部構造については、一般的に容易に推察出来るので、詳しい図解は省略し要点のみを記載する。【００１８】  点灯方法であるが、電池１７、電球１５の接触部の両端から電線１６を繋ぎスイッチ１８をスライド式で接触通電させ点灯させる。尚、１９は電球カバー、２０は光反射板である。【００１９】  図６は第３実施例の、変型例を示した正面図である。第３磁石６の貫通孔１０を着脱装置として利用する事が出来る。尚、猫の形をした鑑賞部材７にはＵＳＢメモリーを搭載している。又、キャップ２１を着脱しパソコンに装着使用する。【００２０】  さて、その着脱方法であるが、鑑賞部材７側に第３磁石６と磁極を反対方向に向けた、鑑賞部材側磁石２２を固着させ、第３磁石６の貫通孔１０付近に近付けると、鑑賞部材側磁石２２は第３磁石６の貫通孔１０に吸い込まれる磁力が働く。【００２１】  更に、図７は第３実施例の、鑑賞部材７を外した形態での斜視図である。第３磁石の貫通孔１０付近に鑑賞物側磁石２２を近付けると、自ら貫通孔１０に吸い込まれる。結果的に鑑賞部材側磁石２２に固着した鑑賞部材７を装着することが出来る。又、鑑賞部材側磁石２２は、貫通孔１０に完全に収まった状態より、直前の状態の方が一方向だけに強く押える力が働く。【００２２】  同様の方法で、スタンプ、印鑑、栓抜き、パソコン用刷毛、ケースに入った香水、ケースに入った修正液等、適度な長さ重さであれば、あらゆる製品、雑貨を鑑賞部材７に搭載して着脱し、二次使用する事が出来る。
【図面の簡単な説明】
【００２３】
【図１】  本発明による第３磁石の貫通孔を示した鑑賞用揺動機構の斜視図である。
【図２】  本発明による第１実施例にライターを搭載した斜視図である。
【図３】  本発明による第１実施例の第３磁石部分より取り外した形態でのライター側面の断面図である。
【図４】  本発明による第２実施例にライトを搭載した斜視図である。
【図５】  本発明による第２実施例の第３磁石部分より取り外した形態でのライト側面の断面図である。
【図６】  本発明による第３実施例の第３磁石の貫通孔を着脱装置として利用したＵＳＢメモリー搭載の正面図である。
【図７】  本発明による第３実施例のＵＳＢメモリーを搭載した鑑賞部材を取り外した形態での斜視図である。
【符号の説明】
【００２４】１      鑑賞用揺動機構
２      基台
３      支持体
４      第１磁石
５      第２磁石
６      第３磁石
７      鑑賞部材
８      着火スイッチ
９      放電部
１０    貫通孔
１１    ガス出口
１２    電子装置
１３    ガスタンク
１４    ガス管
１５    電球
１６    電線
１７    電池
１８    スイッチ
１９    電球カバー
２０    光反射板
２１    キャップ
２２    鑑賞部材側磁石
【図１】
2008037080.tif 000003
【図２】
2008037080.tif 000004
【図３】
2008037080.tif 000005
【図４】
2008037080.tif 000006
【図５】
2008037080.tif 000007
【図６】
2008037080.tif 000008
【図７】
2008037080.tif 000009